(57)【要約】【課題】本発明は、机上設置と壁掛け設置が選択的に行える電話装置に関するもので、使い勝手を向上することを目的とするものである。【解決手段】そして、この目的を達成するために本発明は、斜めに設置されるとともに、その傾斜前面側に受口２、傾斜背面側に支持脚設置部６を有する電話機本体１と、この電話機本体１の前記受口２に、着脱自在に立設配置される受話器３と、前記電話機本体１の支持脚設置部６に、回動軸８を中心に回動自在に配置した支持脚７とを備え、前記支持脚７は、前記回動軸を中心に、前記電話機本体１の傾斜背面側に対向状態で回動する取付面９と、この取付面９の第一回動位置時には、前記電話機本体１の傾斜下端部分と略水平状態、この第一回動位置時から略１８０度回動した第二回動位置時には、前記電話機本体１の傾斜上端部分と略水平状態となる設置面１１とを、有する構造とした。【選択図】図１
2011055193.tif 000002
【特許請求の範囲】
【請求項１】
斜めに設置されるとともに、その傾斜前面側に受話器内の２次電池を充電するための受口、机上置き状態の時に机上に接する傾斜下端部分、壁取り付け状態の時に壁側に接する傾斜上端部分、前記傾斜下端部分と前記傾斜上端部分との間の傾斜背面に支持脚設置部を有する電話機本体と、
この電話機本体の前記受口に着脱自在に立設配置される受話器と、前記電話機本体の支持脚設置部に回動軸を中心に回動自在に配置した支持脚とを備え、
前記支持脚は、前記回動軸を中心に、前記電話機本体の傾斜背面側に対向状態で回動する取付面を有し、
前記支持脚は、前記取付面の第一回動位置時には前記電話機本体の傾斜下端部分と略水平状態となり、この第一回動位置時から略１８０度回動した第二回動位置時には前記電話機本体の傾斜上端部分と略水平状態となる設置面を有することを特徴とする電話装置。
【請求項２】
電話機本体の傾斜背面側に設けた支持脚設置部と、支持脚の取付面との何れか一方には係合部、他方には前記係合部に係合する係合爪を設けた請求項１に記載の電話装置。
【請求項３】
前記支持脚の取付面上であって前記回動軸を中心として対象の位置に一対の係合爪をそれぞれ配置した請求項２に記載の電話装置。
【請求項４】
前記電話機本体の支持脚設置部上であって前記回動軸を中心として対象の位置に前記係合爪と係合可能な係合部を有し、
一方には第一の係合部を設け、他方には第二、第三の係合部を配置した請求項３に記載の電話装置。
【請求項５】
支持脚の第一回動位置時には、前記係合爪は回動軸の両側の一方の第一の係合部と他方の第二の係合部に係合し、支持脚の第二回動位置時には、回動軸の両側の一方の第一の係合部と他方の第三の係合部に係合する構成とした請求項４に記載の電話装置。
【請求項６】
前記支持脚の取付面両端であって前記回動軸を中心として対象の位置に断面略Ｌ字状の規制フランジをそれぞれ設け、
前記電話機本体の支持脚設置部上であって前記回動軸を中心として対象の位置にそれぞれ前記規制フランジと係合可能な案内フランジを設け、
第一回動位置時には第一の規制フランジと第一の案内フランジ、第二の規制フランジと第二の案内フランジがそれぞれ係合し、第二回動位置時には第一の規制フランジと第二の案内フランジ、第二の規制フランジと第一の案内フランジがそれぞれ係合することで支持脚と電話機本体間の結合を補強した請求項２に記載の電話装置。
【請求項７】
電話機本体の傾斜背面側の上部と支持脚の設置面には、壁取り付け状態において壁面上の取り付け金具と係合する係合切欠を設けた請求項１から５の何れか一つに記載の電話装置。
【発明の詳細な説明】
【技術分野】
【０００１】
本発明は、机上設置と壁掛け設置が選択的に行える電話装置に関するものである。
【背景技術】
【０００２】
従来のこの種の電話装置は、以下のような構成となっていた。
【０００３】
すなわち、斜めに設置されるとともに、その傾斜前面側に受口、傾斜背面側に支持脚設置部を有する電話機本体と、この電話機本体の前記受口に、着脱自在に配置される受話器と、前記電話機本体の支持脚設置部に、回動軸を中心に回動自在に配置した支持脚とを備えた構成となっていた。
【０００４】
また、前記支持脚は、前記回動軸を中心に、前記電話機本体の傾斜背面側に対向状態で回動する取付面と、この取付面を机上設置回動時に、机上に当接する第一設置面と、この机上設置回動時から略１８０度回動した壁掛け設置回動時に、壁に当接する第二設置面とを、有する構成となっていた（例えば下記特許文献１）。
【０００５】
すなわち、机上設置から壁掛け設置、または壁掛け設置から机上設置への切り換えを行うためには、支持脚を、回動軸を中心に回動させ、机上設置時には、支持脚の第一設置面を机上に当接させ、壁掛け設置時には、第二設置面を壁に当接させる構成となっていた。
【先行技術文献】
【特許文献】
【０００６】
【特許文献１】特開平１１−２０５４２７号公報
【発明の概要】
【発明が解決しようとする課題】
【０００７】
前記従来例における課題は、受話器を電話機本体の受口から取り出しにくく、使い勝手が悪いと言うことであった。
【０００８】
すなわち、前記従来例においては、机上設置時には、支持脚の第一設置面を机上に当接させ、壁掛け設置時には、第二設置面を壁に当接させる構成となっていたので、これらの机上設置時と壁掛け設置時では、電話機本体の受口の傾斜状態が大きく異なることになる。
【０００９】
そして、電話機本体の受口の傾斜状態が大きく異なることになると、机上設置時と壁掛け設置時の何れかの時に、この受口から受話器が不用意に離脱するおそれがあるので、机上設置時でも、壁掛け設置時でも、受口に受話器を寝かせた状態で、設置することとしている。
【００１０】
このため、受話器を電話機本体の受口から取り出しにくく、使い勝手が悪くなるのであった。
【００１１】
そこで、本発明は、電話装置の使い勝手を向上することを目的とするものである。
【課題を解決するための手段】
【００１２】
そして、この目的を達成するために本発明は、斜めに設置されるとともに、その傾斜前面側に受口、傾斜背面側に支持脚設置部を有する電話機本体と、この電話機本体の前記受口に、着脱自在に立設配置される受話器と、前記電話機本体の支持脚設置部に、回動軸を中心に回動自在に配置した支持脚とを備え、前記支持脚は、前記回動軸を中心に、前記電話機本体の傾斜背面側に対向状態で回動する取付面と、この取付面の第一回動位置時には、前記電話機本体の傾斜下端面と略水平状態、この第一回動位置時から略１８０度回動した第二回動位置時には、前記電話機本体の傾斜背面側と略水平状態となる設置面とを、有する構成とし、これにより所期の目的を達成するものである。
【発明の効果】
【００１３】
以上のように本発明は、斜めに設置されるとともに、その傾斜前面側に受口、傾斜背面側に支持脚設置部を有する電話機本体と、この電話機本体の前記受口に、着脱自在に立設配置される受話器と、前記電話機本体の支持脚設置部に、回動軸を中心に回動自在に配置した支持脚とを備え、前記支持脚は、前記回動軸を中心に、前記電話機本体の傾斜背面側に対向状態で回動する取付面と、この取付面の第一回動位置時には、前記電話機本体の傾斜下端面と略水平状態、この第一回動位置時から略１８０度回動した第二回動位置時には、前記電話機本体の傾斜上端部分と略水平状態となる設置面とを、有する構成としたものであるので、使い勝手の良いものとなる。
【００１４】
すなわち、本発明においては、前記支持脚が、前記回動軸を中心に、前記電話機本体の傾斜背面側に対向状態で回動する取付面と、この取付面の第一回動位置時には、前記電話機本体の傾斜下端面と略水平状態、この第一回動位置時から略１８０度回動した第二回動位置時には、前記電話機本体の傾斜上端部分と略水平状態となる設置面とを、有する構成としたものであるので、机上設置時でも、壁掛け設置時でも、同じ設置面が机上、または壁に当接する。
【００１５】
このため、机上設置時でも、壁掛け設置時でも、電話機本体の受口状態が安定するので、この電話機本体の前記受口に、受話器を立設配置することができ、その結果として、使い勝手が良くなるのである。
【図面の簡単な説明】
【００１６】
【図１】本発明の一実施形態に電話装置の側面図
【図２】同要部平面図
【図３】同要部裏面図
【図４】同要部裏面図
【図５】同要部平面図
【図６】同要部断面図
【図７】同要部拡大断面図（図６のＡ部拡大断面図）
【図８】同要部裏面図
【図９】同要部裏面図
【図１０】同側面図
【図１１】同側面断面図
【発明を実施するための形態】
【００１７】
以下、本発明の一実施の形態を、添付図面を用いて説明する。
【００１８】
（実施の形態１）
図１において、１は、斜めに設置された箱体形状の電話機本体で、この電話機本体１の傾斜前面側には図２のごとく凹状の受口２が設けられており、この受口２には、図１のごとく、コードレスタイプの受話器３が着脱自在に立設配置されている。
【００１９】
具体的には、電話機本体１の受口２に、受話器３の下部が、着脱自在に嵌合した状態となっている。
【００２０】
また、受口２の内壁面には、図２のごとく、着信音や留守番電話再生を行うスピーカ開孔４が配置されている。
【００２１】
さらに、電話機本体１の傾斜前面側で、受口２の側方には、留守番電話再生などの操作部５が設けられている。
【００２２】
また、電話機本体１の傾斜背面側には支持脚設置部６が設けられており、この支持脚設置部６には支持脚７が、図３、図６に示した回動軸８を中心に回動自在に配置されている。
【００２３】
詳細は後で説明するが、図１は電話機本体１を机上に設置する時の状態を示し、図１０は電話機本体１を壁面に設置する時の状態を示し、これらの図１、図１０との比較から明らかのように、電話機本体１を机上に設置する時と、壁面に設置する時では、回動軸８を中心に、支持脚７が略１８０度回動する。
【００２４】
次に、支持脚７の基本的な構造について説明すると、この支持脚７は、図１の机上に設置状態でも、図１０、図１１の壁面設置時でも、上方となる部分に、図５のごとく、前記回動軸８を中心に、前記電話機本体１の傾斜背面側に対向状態で回動する取付面９を有する。
【００２５】
つまり、図５は支持脚７を上方から見た状態を示しており、図４はこの支持脚７を取り外した状態の電話機本体１を下方から見た状態を示している。
【００２６】
支持脚７は上述のごとく上方に取付面９を有し、中間部分が柱部１０となり、下方が設置面１１となっている。
【００２７】
設置面１１は、図１のごとく電話機本体１を机上に設置する時には、電話機本体１の傾斜下端部分と略水平状態となり、またこの位置から略１８０度回動した回動時、つまり壁面に設置する時には、図１０のごとく前記電話機本体１の傾斜上端部分と略水平状態となる。
【００２８】
このため、図１のごとく電話機本体１を机上に設置する時でも、図１０のごとく電話機本体１を壁面に設置する時でも、電話機本体１の傾斜状態は殆ど変わらない。
【００２９】
このため、電話機本体１の受口２の開口状態も殆ど変わらず、よって図１のごとく電話機本体１を机上に設置する時でも、図１０のごとく電話機本体１を壁面に設置する時でも、受口２に着脱自在に配置された受話器３の立設配置状態は殆ど変わらず、安定したものとなる。
【００３０】
したがって、このように受口２に受話器３を立設配置しても、不用意に落下することはない。
【００３１】
また、このように電話機本体１を机上に設置する時でも、電話機本体１を壁面に設置する時でも、電話機本体１の受口２に受話器３が立設配置されているので、受話器３を受口２から容易に着脱させることができ、使い勝手の良いものとなる。
【００３２】
次に、支持脚７の回動固定構造について説明する。
【００３３】
図４から理解されるように、電話機本体１の傾斜背面側の支持脚設置部６には、回動軸８を中心に左右の一方に係合部１２、１３、他方に係合部１４が設けられている。
【００３４】
この内、係合部１４は回動軸８を通る中心線上に設けられているが、係合部１２、１３は回動軸８通る中心線の両側（回動前後）に設けられている。
【００３５】
一方、支持脚７の取付面９には、これらの係合部１２、１３、１４に係合する係合爪１５、１６が回動軸８の左右に設けられている。これらの係合爪１５、１６は回動軸８を通る中心線の一方側にまで伸びており、このように長く伸ばすことで、ばね性を高めている。
【００３６】
前記係合部１２と係合部１３の互いに対向する位置には、図４から理解されるように平面状の係合面１２ａと係合面１３ａをそれぞれ設けている。さらに前記係合部１４には、所定角度で隣接する平面状の係合面１４ａ、１４ｂを設けている。
【００３７】
また前記係合爪１５には、図５から理解されるように前記係合部１２または係合部１３および係合部１４の係合面に当たり合う位置に、所定角度で隣接する平面状の係合面１５ａ、１５ｂを設けている。さらに前記係合爪１６にも、前記係合部１２または係合部１３および係合部１４の係合面に当たり合う位置に、所定角度で隣接する平面状の係合面１６、１６ｂを設けている。
【００３８】
回動軸８は図６から理解されるように、電話機本体１組立て前に、電話機本体１内面側から、ネジ１７により、この電話機本体１に固定されている。
【００３９】
また、電話機本体１の支持脚設置部６の係合部１２、１３、１４の外方には、案内フランジ１８、１９が設けられている。さらに、支持脚７の取付面９の係合爪１５、１６外方には、前記案内フランジ１８、１９の上面側を滑りながら通過する規制フランジ２０、２１を設けている。
【００４０】
図３は、図１のごとく電話機本体１を机上に設置する時の状態を示し、この時には係合部１３の係合面１３ａに、係合爪１６の係合面１６ａを押し付けることで、これら係合部１３と係合爪１６が係合している。
【００４１】
また、係合部１４の係合面１４ａに、係合爪１５の係合面１５ａを押し付けることで、これら係合部１４と係合爪１５が係合している。
【００４２】
そして、これらの係合部１３と係合爪１６の係合、係合部１４と係合爪１５の係合により、支持脚７の回動止めが行われている。
【００４３】
図３（机上設置状態）では、案内フランジ１８には規制フランジ２０が係合し、案内フランジ１９には規制フランジ２１が係合する。図６は案内フランジ１８、１９と、規制フランジ２０、２１が係合した状態を示す要部断面図、図７は案内フランジと規制フランジが係合した部分の一方を拡大した拡大断面図である。
【００４４】
図６、図７からも理解されるように、机上設置状態では案内フランジ１８には規制フランジ２０が係合し、案内フランジ１９には規制フランジ２１が係合することで支持脚７と電話機本体１間の強度保証がなされている。
【００４５】
図８は電話機本体１を机上設置の状態から壁面設置の状態へ切り換えるために、支持脚７を回動軸８を中心に矢印Ｂ方向に回動させている途中の状態を示している。図９は電話機本体１を壁面に設置するために、支持脚７を回動軸８を中心に略１８０度、回動させた後の状態を示している。
【００４６】
この時には、係合部１２の係合面１２ａに、係合爪１５の係合面１５ｂを押し付けることで、これら係合部１２と係合爪１５が係合している。
【００４７】
また、係合部１４の係合面１４ｂに、係合爪１６の係合面１６ｂを押し付けることで、これら係合部１４と係合爪１６が係合している。
【００４８】
そして、これらの係合部１２と係合爪１５の係合、係合部１４と係合爪１６の係合により、支持脚７の回動止めが行われている。
【００４９】
また、図８から理解されるように机上設置の状態から壁面設置の状態へ切り換えるために支持脚７を回動させると、案内フランジ１８から規制フランジ２０が離れ、また案内フランジ１９から規制フランジ２１が離れる。そして図９に示す状態になると案内フランジ１８には規制フランジ２１が係合し、案内フランジ１９には規制フランジ２０が係合する。ただし図９では案内フランジおよび規制フランジは現れない。
【００５０】
図６、図７では丸括弧内に規制フランジ２０、２１の符号を示しており、壁面設置の状態でも前述の机上設置の状態の場合と同様に双方の案内フランジと規制フランジがそれぞれ係合することで支持脚７と電話機本体１間の強度保証がなされている。
【００５１】
この状態で、支持脚７の下方の設置面１１に設けられた係合切欠２２と、電話機本体１の傾斜上端部分に設けられた係合切欠２３が同一平面上に存在する状態となり、これらの係合切欠２２、２３を図１１のごとく壁掛けユニット２４の突起２５、２６に係合させることで、図１０のごとく壁面への設置が完了する。
【産業上の利用可能性】
【００５２】
以上のように本発明は、斜めに設置されるとともに、その傾斜前面側に受口、傾斜背面側に支持脚設置部を有する電話機本体と、この電話機本体の前記受口に、着脱自在に立設配置される受話器と、前記電話機本体の支持脚設置部に、回動軸を中心に回動自在に配置した支持脚とを備え、前記支持脚は、前記回動軸を中心に、前記電話機本体の傾斜背面側に対向状態で回動する取付面と、この取付面の第一回動位置時には、前記電話機本体の傾斜下端面と略水平状態、この第一回動位置時から略１８０度回動した第二回動位置時には、前記電話機本体の傾斜上端部分と略水平状態となる設置面とを、有する構成としたものであるので、使い勝手の良いものとなる。
【００５３】
すなわち、本発明においては、前記支持脚が、前記回動軸を中心に、前記電話機本体の傾斜背面側に対向状態で回動する取付面と、この取付面の第一回動位置時には、前記電話機本体の傾斜下端面と略水平状態、この第一回動位置時から略１８０度回動した第二回動位置時には、前記電話機本体の傾斜上端部分と略水平状態となる設置面とを、有する構成としたものであるので、机上設置時でも、壁掛け設置時でも、同じ設置面が机上、または壁に当接する。
【００５４】
このため、机上設置時でも、壁掛け設置時でも、電話機本体の受口状態が安定するので、この電話機本体の前記受口に、受話器を立設配置することができ、その結果として、使い勝手が良くなるのである。
【００５５】
したがって、電話装置としての活用が期待される。
【符号の説明】
【００５６】
１    電話機本体
２    受口
３    受話器
４    スピーカ開孔
５    操作部
６    支持脚設置部
７    支持脚
８    回動軸
９    取付面
１０    柱部
１１    設置面
１２、１３、１４    係合部
１２ａ、１３ａ、１４ａ、１４ｂ、１５ａ、１５ｂ、１６ａ、１６ｂ    係合面
１５、１６    係合爪
１７    ネジ
１８、１９    案内フランジ
２０、２１    規制フランジ
２２、２３    係合切欠
２４    壁掛けユニット
２５、２６    突起
【図１】
2011055193.tif 000003
【図２】
2011055193.tif 000004
【図３】
2011055193.tif 000005
【図４】
2011055193.tif 000006
【図５】
2011055193.tif 000007
【図６】
2011055193.tif 000008
【図７】
2011055193.tif 000009
【図８】
2011055193.tif 000010
【図９】
2011055193.tif 000011
【図１０】
2011055193.tif 000012
【図１１】
2011055193.tif 000013